【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
回路内の複数の位置における高周波電力を監視する計測システムにおいて、
前記回路内の複数の位置の内の対応位置における高周波電力の電気的特性に基づいてアナログ信号をそれぞれ発生する複数の高周波センサと、
前記アナログ信号に基づいて出力信号を発生する多重化モジュールであって、周波数領域での多重化によって前記アナログ信号を出力信号に多重化する多重化モジュールと、
前記出力信号を受信し、該出力信号に基づいてメッセージを発生する分析モジュールとを含み、
前記メッセージは、前記複数の高周波センサによって検出される電気的特性に関する情報を包含していることを特徴とする計測システム。
【請求項２】
回路内の複数の位置における高周波電力を監視する計測システムにおいて、
前記回路内の複数の位置の内の１つにおける高周波電力の電気的特性に基づいて出力信号をそれぞれ発生する複数のセンサチャネルであって、各センサチャネルが、
高周波電力の電気的特性に基づいて第１の信号を発生する高周波センサと、
周期信号を発生する発振器と、
センサチャネルのための出力信号を発生するために、前記第１の信号と前記周期信号とを混合するミキサとを含む複数のセンサチャネルと、
センサチャネルからの複数の出力信号に基づいて第２の出力信号を発生する高周波結合器とを含むことを特徴とする計測システム。
【請求項３】
前記高周波結合器からの第２の出力信号に基づいてメッセージを発生する分析モジュールをさらに含み、
前記メッセージは、複数のセンサチャネルによって検出される電気的特性に関する情報を包含していることを特徴とする請求項２に記載の計測システム。
【請求項４】
前記高周波センサが方向性結合器であることを特徴とする請求項２に記載の計測システム。
【請求項５】
前記高周波センサが電圧／電流プローブであることを特徴とする請求項２に記載の計測システム。
【請求項６】
前記高周波センサからの第１の信号のそれぞれをろ波する複数の低域通過フィルタをさらに含むことを特徴とする請求項２に記載の計測システム。
【請求項７】
前記センサチャネルからの出力信号のそれぞれをろ波する複数の高域通過フィルタをさらに含むことを特徴とする請求項２に記載の計測システム。
【請求項８】
前記高周波結合器からの第２の出力信号をろ波するフィルタをさらに含むことを特徴とする請求項２に記載の計測システム。
【請求項９】
前記周期信号のそれぞれが他の周期信号とは異なる周波数を有することを特徴とする請求項２に記載の計測システム。
【請求項１０】
前記周波数が周波数領域において等間隔であることを特徴とする請求項９に記載の計測システム。
【請求項１１】
回路内の複数の位置における高周波電力を監視する計測システムにおいて、
前記回路内の複数の位置の１つにおける高周波電力の電気的特性に基づいて一対の出力信号をそれぞれ発生する複数のセンサチャネルであって、各センサチャネルが、
高周波電力に基づいて一対のアナログ信号を発生する高周波センサと、
位相の異なる第１の周期信号および第２の周期信号を発生する発振器と、
センサチャネルの出力信号の内の一方を発生するために、第１の周期信号とアナログ信号の一方とを混合する第１のミキサと、
センサチャネルの出力信号の内の他方を発生するために、第２の周期信号とアナログ信号の他方とを混合する第２のミキサとを含む複数のセンサチャネルと、
第１のミキサからの複数の出力信号に基づいて第１の広帯域信号を発生する第１の高周波結合器と、
第２のミキサからの複数の出力信号に基づいて第２の広帯域信号を発生する第２の高周
波結合器とを含むことを特徴とする計測システム。
【請求項１２】
前記第１の高周波結合器および前記第２の高周波結合器からの広帯域信号に基づいてメッセージを発生する分析モジュールをさらに含み、
前記メッセージは、複数のセンサチャネルによって検出される電気的特性に関する情報を包含していることを特徴とする請求項１１に記載の計測システム。
【請求項１３】
前記高周波センサが方向性結合器であることを特徴とする請求項１１に記載の計測システム。
【請求項１４】
前記高周波センサが電圧／電流プローブであることを特徴とする請求項１１に記載の計測システム。
【請求項１５】
前記高周波センサからのアナログ信号のそれぞれをろ波する低域通過フィルタをさらに含むことを特徴とする請求項１１に記載の計測システム。
【請求項１６】
前記センサチャネルからの出力信号のそれぞれをろ波する複数の高域通過フィルタをさらに含むことを特徴とする請求項１１に記載の計測システム。
【請求項１７】
前記第１の広帯域信号および前記第２の広帯域信号のそれぞれをろ波する第１のフィルタおよび第２のフィルタをさらに含むことを特徴とする請求項１１に記載の計測システム。
【請求項１８】
前記周期信号のそれぞれが他の周期信号とは異なる周波数を有することを特徴とする請求項１１に記載の計測システム。
【請求項１９】
前記周期信号の周波数が周波数領域において等間隔であることを特徴とする請求項１８に記載の計測システム。
【請求項２０】
回路内の複数の位置における高周波電力を監視するための方法において、
前記回路内の複数の位置の内の対応位置における高周波電力の電気的特性に基づいて出力信号を発生する発生工程であって、各発生工程が、
高周波電力に基づいて第１の信号を発生する工程と、
周期信号を発生する工程と、
前記出力信号を発生するために前記第１の信号と前記周期信号とを混合する工程とを含む発生工程と、
各出力信号の周波数成分を含む広帯域信号を発生するために前記出力信号を結合する工程とを含むことを特徴とする監視方法。
【請求項２１】
前記広帯域信号に基づいてメッセージを発生する工程をさらに含み、
前記メッセージは電気的特性に関する情報を包含していることを特徴とする請求項２０に記載の監視方法。
【請求項２２】
前記電気的特性は、前進電力および反射電力のうち少なくとも１つを含むことを特徴とする請求項２０に記載の監視方法。
【請求項２３】
前記電気的特性は、電圧および電流のうち少なくとも１つを含むことを特徴とする請求項２０に記載の監視方法。
【請求項２４】
前記第１の信号をろ波する工程をさらに含むことを特徴とする請求項２０に記載の監視方法。
【請求項２５】
前記出力信号をろ波する工程をさらに含むことを特徴とする請求項２０に記載の監視方法。
【請求項２６】
高周波結合器からの広帯域信号をろ波する工程をさらに含むことを特徴とする請求項２０に記載の監視方法。
【請求項２７】
前記周期信号のそれぞれが他の周期信号と異なる周波数を有することを特徴とする請求項２０に記載の監視方法。
【請求項２８】
前記周波数が周波数領域において等間隔であることを特徴とする請求項２７に記載の監視方法。
【手続補正２】
【補正対象書類名】明細書
【補正対象項目名】０００８
【補正方法】変更
【補正の内容】
【０００８】
本発明は、回路内の複数の位置における高周波電力を監視する計測システムにおいて、
前記回路内の複数の位置の内の対応位置における高周波電力の電気的特性に基づいてアナログ信号をそれぞれ発生する複数の高周波センサと、
前記アナログ信号に基づいて出力信号を発生する多重化モジュールであって、周波数領域での多重化によって前記アナログ信号を出力信号に多重化する多重化モジュールと、
前記出力信号を受信し、該出力信号に基づいてメッセージを発生する分析モジュールとを含み、
前記メッセージは、前記複数の高周波センサによって検出される電気的特性に関する情報を包含していることを特徴とする計測システムである。
また本発明は、回路内の複数の位置における高周波電力を監視する計測システムにおいて、
前記回路内の複数の位置の内の１つにおける高周波電力の電気的特性に基づいて出力信号をそれぞれ発生する複数のセンサチャネルであって、各センサチャネルが、
高周波電力の電気的特性に基づいて第１の信号を発生する高周波センサと、
周期信号を発生する発振器と、
センサチャネルのための出力信号を発生するために、前記第１の信号と前記周期信号とを混合するミキサとを含む複数のセンサチャネルと、
センサチャネルからの複数の出力信号に基づいて第２の出力信号を発生する高周波結合器とを含むことを特徴とする計測システムである。